(57)【要約】【課題】検査前に、被検者がカルテと同一人物であることを確認できるようにしたＸ線ＣＴ装置を提供する。【解決手段】被検者４が検査室に入り検査前に診察情報の記憶されたカード３をガントリ１に取り付けられたカードリーダ６に読み取らせる。カード３に記憶された情報がガントリ１に設けられた表示部５、及び操作室の画像表示装置２４に表示される。放射線技師はその情報がカルテの情報と同じであることを確認し、被検者４がカルテの本人であることを確認する。そして、カードリーダ６からカード３の情報は操作室のＣＰＵ２１により電子カルテの記憶装置２１ｂに記憶され、自動的に検査データシートや撮影フイルムに被検者４の名前などの情報が印字される。これにより被検者４を取り違えることがない。【選択図】　　　　　図１
2004089429.tif 000002
【特許請求の範囲】
【請求項１】
寝台に載せられた被検者の体軸を中心にＸ線管とＸ線検出器が円周方向に回転しながらＸ線管からＸ線を放射し、それと対向した円形配置の複数個の検出器で被検者を透過したＸ線量を検知し、その信号をコンピュータ処理して断層画像を再構成するＸ線ＣＴ装置において、被検者の診察情報が記憶され被検者が所有するカードあるいは被検者と特定できるものと、ガントリに取り付けられ前記カードの情報を読み取ることができるカードリーダあるいは被検者と特定できるものを解読する検出リーダと、ガントリに取り付けられ読み取られた前記情報および被検者の名前を表示する表示部と、前記カードリーダあるいは検出リーダで読み取られ解読された情報が操作室のＣＰＵによって転送され被検者の電子カルテに記憶される記憶装置と、同時にその情報および被検者の名前が表示される画像表示装置とを設けて、被検者が寝台に載せられる検査前に前記表示部及び前記画像表示部で被検者がカルテと同一人物であることを確認できるようにしたことを特徴とするＸ線ＣＴ装置。
【発明の詳細な説明】
【０００１】
【発明の属する技術分野】
本発明は、被検者の断層像を得るＸ線ＣＴ装置に係わり、特に、被検者を寝台に載せる検査前にカルテと同一人物であることを確認する方法に関する。
【０００２】
【従来の技術】
Ｘ線ＣＴ装置は、被検者の体軸を中心にＸ線管とＸ線検出器が円周方向に回転しながらＸ線管からＸ線を放射し、それと対向した円形配置の複数個の検出器で被検者を透過したＸ線量を検知して、その信号をコンピュータ処理して画像を構成するものである。
図２に、従来のＸ線ＣＴ装置の検査室と操作室に設置された各部構成と制御ブロックダイアグラムを示す。天板１７上に被検者４を載せ、寝台１５を上昇させて被検者４を回転中心２５に位置させる。そして、被検者４を中心にして、回転中心２５の周りに、Ｘ線管２と検出器１２とが、ガントリ１内の回転部のリング枠で、ＣＰＵ２１からの指令でガントリ・寝台制御装置２０の制御によって、回転しながらＸ線を放射する。その回転速度は、高級機クラスのフルスキャン（３６０度）で１秒以下である。このスキャン中に、例えば腹部スライスであれば、Ｘ線制御装置２ｂによって設定され高電圧発生装置２ａによってＸ線管２に高電圧が印加され、Ｘ線条件として１２０ｋＶ、２００ｍＡｓ程度のＸ線量が被検者４に照射される。このＸ線ビームはＸ線管２の射出口のコリメータで扇状に絞られ、被検者４に当たり一部は散乱し、透過したＸ線が検出器１２に入射して画像診断情報として処理される。スパイラルスキャンモード（天板１７を一定の速度でガントリ１内に移動し、Ｘ線管２と検出器１２を連続回転して撮影するもので、ヘリカルスキャンモードともいう）による高速連続撮影は、天板１７の移動を撮影中に行なうため広い範囲を短時間で撮影できるので、ＣＴの主流として普及している。検出器１２からの出力信号は、データ収集部２２（ＤＡＳ）の増幅器、サンプルホールド回路、マルチプレクサ、Ａ／Ｄ変換器、インターフェース等の回路を経由してメモリに記憶される。そして、システム制御の中枢であるＣＰＵ２１は、マイクロプロセッサ、及び、メモリ、ハードディスク、磁気ディスクなどの記憶装置２１ｂ、キーボードを備えた操作コンソール２１ａなどの周辺機器を備え、このＣＰＵ２１と再構成装置２３と画像表示装置２４とスキャン制御部（図示せず）などにより、データ処理が行われ再構成装置２３の高速演算処理により画像が再構成されて、画像データは記憶装置２１ｂの磁気ディスクにファイルされると同時に、画像表示装置２４でアナログ信号としてモニタに表示される。
最近、さらに画像再構成処理速度を従来の１０倍以上に高速化できるようになり、スキャン中に並行してリアルタイムで画像を毎秒数コマの速度で、動画のように表示できる機能を有したＣＴ透視法が実用化され、従来のＸ線透視のようにリアルタイムで連続的に観察できる。
【０００３】
上記のように被検者４の診断部位をスライスしてその断層像を得るためには、寝台１５は、被検者４が天板１７上に載せられ、天板１７の一端に取付けられたヘッドレストに、被検者４の頭部が載せられて固定され、被検者４を載せた天板１７が寝台１５により上下に昇降され、Ｘ線ＣＴ装置のガントリ１のスライス穴の回転中心２５と、被検者４の診断部位との高さが合うように調整される。そして、スライド部によって天板１７上の被検者４の診断部位の撮影スタート位置が、ガントリ１内の回転中心２５のスライス位置まで移動される。
そして、放射線技師は被検者４の体格から経験に基づいて、キーボードの備えられた操作コンソール２１ａを用いて撮像条件を入力する。そして、スパイラルスキャンモードによる高速連続撮影を行うときは、スライド部が所定の速度で天板１７をガントリ１のスライス穴の奥方向に移動させ、広い範囲のＣＴ撮影が短時間に行われる。
【０００４】
【発明が解決しようとする課題】
従来のＸ線ＣＴ装置は以上のように構成されているが、Ｘ線ＣＴ装置の検査室には、内科や外科などの他科で診察を受けた被検者４が検査のためだけに訪れることが殆どであり、そのため、放射線技師は被検者４のことをよく知らない場合が多く、カルテと実際の被検者４を取り違える可能性があるという問題がある。
被検者４の取り違いは、誤診を招くことはもとより、無駄なＸ線被ばくを与えてしまい、また、造影剤などによるアレルギーのある被検者４に造影検査をしてしまう可能性もあり、非常に危険である。
また、検査データやフイルムに被検者４の名前を書き込む必要があるため、放射線技師は検査前に操作コンソール２１ａのキーボードから被検者４の名前を入力しなければならない。被検者４毎にカルテから名前を正確にキーボードから入力するのは、放射線技師にとって大変な負担となる。カードリーダによる被検者４の名前の自動入力は既にいくつかの施設で実施されているが、カードがカルテとともに検査室に送られて、カードリーダで読み取り、キーボードからの入力の手間が省けるだけ放射線技師の負担は減っているものの、被検者４を取り違える可能性については変わらないという問題がある。
【０００５】
本発明は、このような事情に鑑みてなされたものであって、寝台に被検者を載せる検査前に、被検者がカルテと同一人物であることを確認できるようにしたＸ線ＣＴ装置を提供することを目的とする。
【０００６】
【課題を解決するための手段】
上記の目的を達成するため、本発明のＸ線ＣＴ装置は、寝台に載せられた被検者の体軸を中心にＸ線管とＸ線検出器が円周方向に回転しながらＸ線管からＸ線を放射し、それと対向した円形配置の複数個の検出器で被検者を透過したＸ線量を検知し、その信号をコンピュータ処理して断層画像を再構成するＸ線ＣＴ装置において、被検者の診察情報が記憶され被検者が所有するカードあるいは被検者と特定できるものと、ガントリに取り付けられ前記カードの情報を読み取ることができるカードリーダあるいは被検者と特定できるものを解読する検出リーダと、ガントリに取り付けられ読み取られた前記情報および被検者の名前を表示する表示部と、前記カードリーダあるいは検出リーダで読み取られ解読された情報が操作室のＣＰＵによって転送され被検者の電子カルテに記憶される記憶装置と、同時にその情報および被検者の名前が表示される画像表示装置とを設けて、被検者が寝台に載せられる検査前に前記表示部及び前記画像表示部で被検者がカルテと同一人物であることを確認できるようにしたものである。
【０００７】
本発明のＸ線ＣＴ装置は上記のように構成されており、被検者が所有する診察情報が記憶されたカード（あるいは被検者と特定できるもの）を、検査前にガントリに設けられたカードリーダ（あるいは解読できる検出リーダ）に被検者によって読み取らせ、その情報及び名前が検査室のガントリに設けられた表示部と、操作室に設けられた画像表示装置に表示され、ＣＰＵの被検者の電子カルテの記憶装置に記憶される。放射線技師は検査室の表示部、又は操作室の画像表示装置に表示された被検者の情報及び名前を確認して、被検者がカルテと同一人物であることを確認することができる。また、被検者の情報は電子カルテに記憶され、放射線技師は被検者の名前などの情報をキーボードなどの入力装置で入力する必要が無くなり、撮影フイルムなどに自動的に被検者の名前などのＩＤ情報を印字することができる。これにより被検者を取り違えて検査することも無くなり、確実に本人の検査を行うことができる。
【０００８】
【発明の実施の形態】
本発明のＸ線ＣＴ装置の一実施例を、図１を参照しながら説明する。図１は本発明のＸ線ＣＴ装置の検査室と操作室に設置された各部構成と制御ブロックダイアグラムを示す図である。
本発明のＸ線ＣＴ装置は、検査室に設けられ、Ｘ線管２と検出器１２を対向配置し被検者４の体軸を回転中心２５にしてＸ線を放射し回転する回転部を内蔵したガントリ１と、被検者４を天板１７上に載せて断層像を撮像する寝台１５と、ガントリ１内の回転部及び寝台１５を制御するガントリ・寝台制御装置２０と、Ｘ線管２に高電圧を供給する高電圧発生装置２ａと、検出器１２からの信号を収集するデータ収集部２２と、被検者４の診察情報が記憶され被検者４が所有するカード３と、ガントリ１に取り付けられカード３の情報を読み取ることができるカードリーダ６と、ガントリに取り付けられ読み取られた情報を表示する表示部５と、操作室に設けられ、高電圧発生装置２ａを制御するＸ線制御装置２ｂと、データ収集部２２からのデータを再構成する再構成装置２３と、再構成された画像および被検者４のカード３の情報を表示する画像表示装置２４と、カードリーダ６で読み取られた情報が操作室のＣＰＵ２１に送られ被検者４の電子カルテに記憶される記憶装置２１ｂと、データ及び指令を入力するキーボードを備えた操作コンソール２１ａと、システム全体を統括するＣＰＵ２１とから構成されている。
【０００９】
本Ｘ線ＣＴ装置は、従来の図２に示す装置に、被検者４の診察情報が記憶され被検者４が所有するカード３と、ガントリ１に取り付けられカード３の情報を読み取ることができるカードリーダ６と、ガントリ１に取り付けられ読み取られた情報を表示する表示部５とを付加し、カードリーダ６で読み取られた情報が操作室のＣＰＵ２１に送られ記憶装置２１ｂに被検者４の電子カルテに記憶され、同時に、その情報が画像表示装置２４に表示されるものである。これにより放射線技師が、検査前に表示部５又は画像表示装置２４で表示される情報を見て、被検者４がカルテと同一人物であることを確認できるようにしている。
【００１０】
次に、本Ｘ線ＣＴ装置の付加された各構成部の機能と動作について説明する。
カード３は、磁気カードやＩＣカードでできた被検者４の診察情報が記憶されたカード３で、他科から検査を受けた被検者４自身がカード３を常時持ち歩き、他人のカード３と入れ替わることが無いように、被検者４以外の人が使用しないようにする。磁気カードは、プラスチックに磁気記憶媒体を装着したカード３で、情報密度が小さく、折り曲げや熱、周辺の磁気に弱いなどの問題があるが、安価で簡便であり、形状は広く使用されているＩＳＯやＪＩＳで規定されているものを使用すると、共通性の点でよい。また、ＩＣカードは、同様にプラスチック・カードにＩＣを埋め込んだ記憶媒体で、従来の磁気カードよりも大容量のデータを記憶することができる。磁気カードよりもセキュリティを確保しやすくなると共に、複数の機能を１枚のカード３に盛り込むことができる。
カードリーダ６は、ガントリ１正面で被検者４が楽に手のとどく位置の高さに取り付けられ、カード３の情報を読み取ることができる電子機器で、カード３（磁気カード、ＩＣカード）に記憶されたデータを、コンピュータ（ＣＰＵ２１、表示部５、記憶装置２１ｂ、画像表示装置２４）に転送する装置である。ＰＣカード・スロットのないデスクトップ用に用いられるカードリーダでよく、シリアル接続よりもはるかに高速のデータ転送ができる。ＰＣカード・スロットと異なり、アダプタを介さずカード３を直接セットできる。インターフェースにより、パラレル、ＵＳＢ、ＳＣＳＩタイプがあり、いずれでも良い。通常、カードリーダ６は、読み込みを主とするが、カードリーダ・アンド・ライタとして、カード３に検査後に検査情報を書き込むことができるようにしてもよい。また、カードリーダ６を磁気カード読み取り専用機として、カードの磁気部分に書かれたデータをヘッドで読み取り、デジタル信号に変換して情報を転送するようにすると安価に装備することができる。この装置にはスリットにカード３を通すスライド式と、スロットにカード３を差込む挿入式がある。
表示部５は、ガントリ１正面で放射線技師が楽な姿勢で観察できる位置の高さに取り付けられ、カードリーダ６で読み込まれた被検者４のカード３の情報が表示される。放射線技師は表示部５の情報を観察し、被検者４がカルテと同一人物であることを確認する。表示部５は、ガントリ正面上に取り付けられるため薄型の表示器で、液晶やプラズマ表示器がよい。
【００１１】
カード３の情報読取システムは、操作室のＣＰＵ２１を中枢にして、情報入力手段としてカード３とカードリーダ６を用い、情報記憶手段として記憶装置２１ｂを用い、情報表示手段として検査室のガントリ１正面の表示部５及び操作室の画像表示装置２４を用いたものである。そして、情報の取り込み、情報の表示のソフトウエアはハードディスクに収納されている。
【００１２】
次に、本Ｘ線ＣＴ装置の操作について説明する。他科から検査を受けに来た被検者４が、診察情報が記憶されたＩＤのカード３を被検者４自身が持参する。他人がカード３を使用してはならない。そして、放射線技師は、検査前に被検者４を検査室にガイドし、被検者４自身によってガントリ１に設けられたカードリーダ６にカード３を読み取らせる。カード３の情報が操作室のＣＰＵ２１によって記憶装置２１ｂに転送され、同時にその被検者４の名前などの情報が検査室のガントリ１に設けられた表示部５および操作室に設けられた画像表示装置２４に表示される。放射線技師はその表示部５又は画像表示装置２４の名前などの情報を見て、被検者４が手元にあるカルテと同一人物であることを確認する。そして、被検者４を寝台１５の天板１７上に載せる。被検者４の体格、および他科の医師からの処方箋の診断する部位から、Ｘ線条件を選択し設定する。撮影を開始し断層撮影が行われ、検査データのフイルムが作成される。そのとき、データには自動的に被検者４のＩＤ番号、名前などの情報が焼き付き印字される。検査が終了すれば、被検者４はカード３を持って他科の診察に戻る。
【００１３】
上記の実施例では、ガントリ１の表示部５に被検者４の名前などの情報が表示されるが、カード３に被検者４の顔写真のデータが記憶されておれば、表示部５及び画像表示装置２４に顔写真を表示してもよい。この方法はカード３の人物と被検者４が同一人物であることを確認するための有効な方法である。
また、表示される情報に被検者４に対する禁忌処置（例えば、造影剤は使用禁）などの情報をカード３に記憶させておき、表示させることにより、放射線検査に役立てることができる。
また、実施例ではカードリーダ６を用いたが、被検者４を特定することができるもの（データ）、例えば、指紋照合、眼底血管の照合、声紋照合などであれば、初診時に被検者４が指紋データ、眼底血管データ、声紋データなどをＩＤ登録し、データバンクに記憶させておけば、その後の被検者４の確認は、これらを解読できる検出リーダによって、同様に適用することができる。
また、実施例には示していないが、カード３を通さなければ検査が実施できないようにしておけば、放射線技師以外の第三者によるＸ線の誤ばく射を防止することができる。
【００１４】
【発明の効果】
本発明のＸ線ＣＴ装置は上記のように構成されており、被検者の診察情報が記憶されたＩＣカードを被検者自身が所有し、検査室に入室したら、ガントリに設けられたカードリーダに被検者がＩＣカードを読み取らせる。それによってガントリに設けられた表示器及び操作室の画像表示装置に、ＩＣカードの被検者の情報が表示されるので、放射線技師は表示された情報を確認して、被検者がカルテと同一人物であることを確認することができる。
また、カードリーダで読み取られた情報は操作室のＣＰＵに送られ、電子カルテの記憶装置に記憶される。そのため、放射線技師は名前などの情報をキーボードなどの入力装置で入力する必要が無くなり、検査データシートや撮影フイルムなどに自動的に名前などのＩＤ情報を印字することができる。これにより検査作業の効率がよくなり、被検者を取り違えて検査することも無くなり、確実に本人の検査を行うことができる。
【図面の簡単な説明】
【図１】本発明のＸ線ＣＴ装置の一実施例を示す図である。
【図２】従来のＸ線ＣＴ装置の構成を示す図である。
【符号の説明】
１…ガントリ
２…Ｘ線管
２ａ…高電圧発生装置
２ｂ…Ｘ線制御装置
３…カード
４…被検者
５…表示部
６…カードリーダ
１２…検出部
１５…寝台
１７…天板
２０…ガントリ・寝台制御装置
２１…ＣＰＵ
２１ａ…操作コンソール
２１ｂ…記憶装置
２２…データ収集部
２３…再構成装置
２４…画像表示装置
２５…回転中心
【図１】
2004089429.tif 000003
【図２】
2004089429.tif 000004